(57)【要約】【課題】受信チャンネル切替え時における、無映像（ブラックアウト）期間を短縮可能な映像受信装置を提供すること。【解決手段】複数系統のチューナおよびデコーダを有し、通常視聴に用いていない系はチャンネルを周期的に巡回し、各チャンネルでデコードした画像をヘッダ情報と共にメモリに順次格納しておく。チャンネル切替えが発生した場合、通常視聴の系が指定チャンネルの映像を出力可能となるまで、メモリに格納された指定チャンネルの画像を先行表示する。【選択図】図１
2007013826.tif 000002
【特許請求の範囲】
【請求項１】
通常視聴のチャンネルを受信するメイン系のチューナおよびデコーダと、通常視聴でないチャンネルを受信するサブ系のチューナおよびデコーダと、デコードした画像を格納するメモリ部とを備え、
前記サブ系のチューナおよびデコーダにより受信チャンネルを周期的に巡回し各チャンネルでデコードした画像を前記メモリ部に格納し、
受信チャンネル切替え時に前記メイン系のチューナおよびデコーダにより指定されたチャンネルの映像が表示されるまでの期間に前記指定チャンネルに対応する前記デコードした画像を表示することを特徴とする映像受信装置。
【請求項２】
電子番組表あるいは裏番組一覧を表示する際に前記メモリ部に格納された各チャンネルのデコードした画像を番組情報と併せて表示することを特徴とする請求項１記載の映像受信装置。
【発明の詳細な説明】
【技術分野】
【０００１】
本発明は、ディジタルテレビ放送を受信する映像受信装置に関するものである。
【背景技術】
【０００２】
ディジタルテレビ放送に対応する映像受信装置では、アンテナで受信した信号がチューナでＴＳデータに復調され、ＴＳ分離器により視聴チャンネルの映像・音声のＰＥＳデータが分離される。分離されたＰＥＳはＡＶデコーダに供給され、ＭＰＥＧ方式で圧縮された映像・音声がデコードされ、映像・音声信号として出力される。
【０００３】
この従来の映像受信装置には、受信チャンネル切替えの際、１秒以上の無映像（ブラックアウト）期間を生ずるという課題がある。これは、主として、チューナの復調処理の安定、映像デコードにおけるシーケンスヘッダ情報の取得、映像・音声同期待ちといった処理に時間を要するためである。
【０００４】
一般に、ユーザがチャンネルを選択してから表示されるまで０．５秒以上のタイムラグがあると、ユーザは操作性に対してストレスを感じると言われている。この問題に対処するため、従来技術の一例として、無映像期間を短縮しようとする受信装置の技術ある（例えば、特許文献１を参照）。
【０００５】
この従来技術の一例では、２系統のチューナとＴＳ分離器を有し、通常視聴で受信していない系を用いて各チャンネルのＴＳ数秒分を巡回取得し、メモリに格納する。チャンネル切替え時は、通常視聴の系が出力可能となるまで、格納されたＴＳをデコードし出力することにより、無映像期間を短縮している。
【特許文献１】特開２００１−３０９２５５号公報
【発明の開示】
【発明が解決しようとする課題】
【０００６】
しかしながら、上記の従来技術の一例では、格納されたＴＳをデコードし出力するものであるため、このＴＳをデコードするに時間が掛かかり、無映像期間は十分に短縮されない。
【０００７】
そこで本発明は上記の問題を鑑み、チャンネル切替え時における、無映像期間を十分に短縮可能な映像受信装置を提供することを目的とするものである。
【課題を解決するための手段】
【０００８】
上記課題を解決するために本発明の映像受信装置は、通常視聴のチャンネルを受信するメイン系のチューナおよびデコーダと、通常視聴でないチャンネルを受信するサブ系のチューナおよびデコーダと、デコードした画像を格納するメモリ部とを備え、前記サブ系のチューナおよびデコーダにより受信チャンネルを周期的に巡回し各チャンネルでデコードした画像を前記メモリ部に格納し、受信チャンネル切替え時に前記メイン系のチューナおよびデコーダにより指定されたチャンネルの映像が表示されるまでの期間に前記指定チャンネルに対応する前記デコードした画像を表示するものである。
【発明の効果】
【０００９】
本発明によれば、チャンネル切替え時の無映像（ブラックアウト）期間を大幅に短縮することができ、操作性に対するユーザのストレスを軽減可能である。
【発明を実施するための最良の形態】
【００１０】
（実施の形態１）
図１は、本発明による映像受信装置の一実施形態の構成を示したブロック図である。以下、この図を参照し本発明の実施の形態を説明する。
【００１１】
図１において、チューナＡ１１はメイン（通常視聴）系のチューナ部であり、チューナＢ１２はサブ（非通常視聴）系のチューナ部で、それぞれチャンネルの受信信号を復調しＴＳを得る。ＴＳ分離Ａ２１はメイン系のＴＳ分離部であり、ＴＳ分離Ｂ２２はサブ系のＴＳ分離部で、それぞれチャンネルの映像ＰＥＳデータを抽出する。デコーダＡ３１はメイン系のデコード部であり、デコーダＢ３２はサブ系のデコード部で、それぞれ分離されたＴＳの映像のデコード処理を行う。
【００１２】
メモリ部１０１は、デコーダＢ３２で得られた画像および画像情報を格納する。映像切替え部４１は、デコーダＡ３１による視聴映像とメモリ部１０１に格納された画像とを切替えて、このいずれかを映像出力部５１で表示する。
【００１３】
また制御部１００は、メイン系の構成（チューナＡ１１、ＴＳ分離Ａ２１、デコーダＡ３１）で受信処理するチャンネル、およびサブ系の構成（チューナＢ１２、ＴＳ分離Ｂ２２、デコーダＢ３２）で受信処理するチャンネルの設定、および映像切替え部４１における出力表示の切替えを制御する。
【００１４】
まず上記構成における、通常視聴時の動作を説明する。図２は、本発明の実施の形態に係る通常視聴時の処理の流れを示すタイムチャートである。
【００１５】
制御部１００は、メイン系の構成（チューナＡ１１、ＴＳ分離Ａ２１、デコーダＡ３１）に対し、ユーザ指定の視聴チャンネルを処理するよう制御する。本図においては一例としてチャンネル１を視聴しているものとする。このとき、この視聴チャンネルの映像を出力するように切替え部４１と映像出力部５１を制御する。本図で示す場合では、チャンネル１の内容である映像１が出力される。
【００１６】
さらにサブ系の構成（チューナＢ１２、ＴＳ分離Ｂ２２、デコーダＢ３２）に対しては、全てのチャンネルを周期的に切替え巡回して処理するよう制御する。本図においてはチャンネル１〜６を巡回するものとしている。このとき、サブ系でデコードした各チャンネルの参照画像および画像情報（ヘッダのパラメタ等）を、メモリ部１０１の各チャンネル所定の領域に順次格納していく。本図に示す例では、当該所定の領域として、ａｒｅａ１〜６が対応する。
【００１７】
なお、ここではサブ系の処理対象を全チャンネルとしているが、これを視聴頻度の高いチャンネル群に限定してもよい。また本構成ではサブ系を１系統としているが、これを複数系統とし、巡回処理するチャンネルを分担してもよい。
【００１８】
次に、チャンネル切替え時の動作について説明する。図３は、本発明の実施の形態に係るＣＨ切替え時の処理の流れを示すタイムチャートである。本図において「切替え発生」として矢印で示すタイミング以前（破線左側）は、図２を用いて説明した通りである。
【００１９】
チャンネル切替えが発生すると制御部１００は、まず、メイン系の構成（チューナＡ１１、ＴＳ分離Ａ２１、デコーダＡ３１）の処理チャンネルを指定チャンネルに変更する。本図で示す例ではチャンネル１からチャンネル２に切替えるものとする。
【００２０】
それと同時に、映像切替え部４１において、出力対象をメモリ１０１に格納されている指定チャンネルのデコード済み画像に切替える。本例においてはチャンネル２が指定チャンネルであるので、それに対応するデコードされた画像は、メモリ部１０１のａｒｅａ２に格納されているので、それが読み出され、映像出力部５１には当該ａｒｅａに格納されていた画像が表示されることとなる。ここで、メモリ部１０１には既にデコードされた画像が格納されているので、デコード時間は必要なく即座に表示され、無映像期間はほとんどない。
【００２１】
そして制御部１００は、遷移状態を経てデコーダＡ３１が映像出力可能となったことを検知すると、映像切替え部４１における出力対象をメイン系の視聴映像に変更する。本図で示す例ではチャンネル２の映像が表示されることとなる。以降、チャンネル２を指定チャンネルとして、通常視聴時の動作を行う。
【００２２】
なお、ここではメモリ部に格納し先行表示する画像については、単一、あるいは複数枚（画像列）としてもよい。また、先行表示した画像から視聴映像への切替えの際、不自然さを軽減するフェードイン（徐々に画像を表示）等の特殊処理を加えてもよい。
【００２３】
以上で説明した構成、動作により、本発明の映像表示装置によれば、チャンネル切替えの遷移期間には、予めデコードしておいた画像が先行表示されるため、無映像（ブラックアウト）期間を大幅に短縮することができる。
【００２４】
さらに、図４を用いて、メモリ部１０１に格納した各チャンネルの画像を電子番組表（ＥＰＧ）や裏番組の一覧表示において利用する例を述べる。
【００２５】
視聴者がチャンネルを切替える場合に、直接切替えようとするチャンネルを選択する場合の他に、電子番組表を表示してそこから切替えようとするチャンネルを選択する場合がある。そのときに本発明の映像表示装置によれば、単に放送波に多重されたＥＰＧデータやＷｅｂ等から取得したＥＰＧデータで番組表を構成するだけでなく、図４（ａ）に示すように現在放送中の番組については、その画像も番組表の中に表示する。この画像表示は各チャンネルの番組情報とともに、その画像をメモリ部１０１から読み出し、合成表示する。
【００２６】
以上のようにすることで、現在放送中の番組については、デコードされた各チャンネルの画像をメモリ部１０１に格納しているので、合成表示についてもスムーズに行われ無映像の期間が大幅に短縮できる。また、当該ＥＰＧで切替えるチャンネルを選択して、メイン系の構成（チューナＡ１１、ＴＳ分離Ａ２１、デコーダＡ３１）の処理チャンネルを指定チャンネルに変更し、このチャンネルの映像が表示されるまでの切り替え期間に上記のように予めデコードしておいた画像を先行表示すれば、無映像（ブラックアウト）期間を大幅に短縮することができる。
【００２７】
また、サブ系の構成（チューナＢ１２、ＴＳ分離Ｂ２２、デコーダＢ３２）で、全てのチャンネルを周期的に切替え巡回して、デコードした各チャンネルの参照画像および画像情報を、メモリ部１０１の各チャンネル所定の領域に順次格納しているので、図４（ｂ）に示すように裏番組を一覧表示することができる。この画像表示については、上記のＥＰＧでの表示の場合と同様であり、チャンネル切替えの動作も同様なので説明は省略する。
【００２８】
なお、本実施の形態では図２や図３のタイムチャートを用いて説明したが、その説明におけるチャンネル１〜６やａｒｅａ１〜６は動作の具体例を示したもので、本発明は当該具体例に限定されるものではない。
【産業上の利用可能性】
【００２９】
本発明にかかる映像受信装置は、チャンネル切替え時の無映像期間を大幅に短縮することができるものであり、ディジタル信号を受信し表示する映像受信装置等において有用である。
【図面の簡単な説明】
【００３０】
【図１】本発明の実施の形態に係る構成を示すブロック図
【図２】本発明の実施の形態に係る通常視聴時の処理の流れを示すタイムチャート
【図３】本発明の実施の形態に係るＣＨ切替え時の処理の流れを示すタイムチャート
【図４】本発明の実施の形態に係る画面表示の一例を示す図
【符号の説明】
【００３１】
１１    チューナＡ（メイン系のチューナ部）
１２    チューナＢ（サブ系のチューナ部）
２１    ＴＳ分離Ａ（メイン系のＴＳ分離部）
２２    ＴＳ分離Ｂ（サブ系のＴＳ分離部）
３１    デコーダＡ（メイン系のデコード部）
３２    デコーダＢ（サブ系のデコード部）
４１    映像切替え部
５１    映像出力部
１００    制御部
１０１    メモリ部
【図１】
2007013826.tif 000003
【図２】
2007013826.tif 000004
【図３】
2007013826.tif 000005
【図４】
2007013826.tif 000006